(57)【要約】【課題】浴室壁の接着固定部を破壊せずにポンプを取り出すことを可能にし、また、再設置時に浴室壁を再度接着固定する作業を不要にできるジェットバスポンプシステムを提供することを目的とする。【解決手段】ポンプ５と浴室壁８の間の中継リード線７に望ましくは防水コネクタから成る分割部分１０を設け、容易に分割・再接続可能にした。これにより、メンテナンス時、浴室壁８の接着固定部９を破壊することなくポンプ５を取り出すことが可能となり、また再設置時に浴室壁８を再度接着固定する作業が不要となる。【選択図】図１
2006034553.tif 000002
【特許請求の範囲】
【請求項１】
浴槽水を循環させるポンプとこのポンプを制御する制御部とを備え、前記ポンプと制御部が浴室内外に隔離され、前記ポンプと制御部を中継リード線にて接続したジェットバスポンプシステムであって、前記中継リード線が前記ポンプと浴室壁との間で分割・接続できるようにしたことを特徴とするジェットバスポンプシステム。
【請求項２】
前記中継リード線の接続部が防水コネクタであることを特徴とする請求項１記載のジェットバスポンプシステム。
【発明の詳細な説明】
【技術分野】
【０００１】
本発明は、浴槽内の湯水を循環させるジェットバスポンプシステムに係り、特に施工性・メンテナンス性を向上させたジェットバスポンプシステムに関するものである。
【背景技術】
【０００２】
従来のジェットバスポンプシステムは、浴槽内に気泡を発生させ、浴槽水を吸込配管と吐出配管を介して循環させるためのポンプを浴室内の浴槽と床のあいだに設置し、ポンプの動作を制御するための制御部を浴室外に設置していた。そしてポンプへ電源電圧を供給するために中継リード線を浴室壁内部を通してポンプと制御部を接続していた。このとき、浴室内の湿気が浴室壁内部に侵入し、浴室壁や建物そのものが劣化することを防ぐために、ポンプと制御部を接続している中継リード線の浴室壁を貫通している部分を接着固定することで浴室内と浴室壁を完全に遮断していた。そしてポンプから浴室壁のあいだの中継リード線には接続部はなく一体物となっており、分割できない構成となっていた。
【特許文献１】特開２００３−３６９３８号公報
【発明の開示】
【発明が解決しようとする課題】
【０００３】
ジェットバスポンプシステムにおいて、メンテナンスのためにポンプを浴槽下の設置場所から取り出す必要がある。従来はポンプから浴室壁のあいだの中継リード線が分割できないため、浴室壁の接着固定部を破壊し、中継リード線を引き出さなければならないという課題を有していた。
【０００４】
本発明は、浴室壁の接着固定部を破壊せずにポンプを取り出すことを可能にし、また再設置時に浴室壁を再度、接着固定する作業を不要にできるジェットバスポンプシステムを提供とすることを目的とする。
【課題を解決するための手段】
【０００５】
本発明は、浴槽水を循環させるポンプとこのポンプを制御する制御部とを備え、前記ポンプと制御部が浴室内外に隔離され、前記ポンプと制御部を中継リード線にて接続したジェットバスポンプシステムであって、前記中継リード線が前記ポンプと浴室壁との間で分割・接続できるようにしたものである。
【発明の効果】
【０００６】
本発明は、ポンプと浴室壁の間の中継リード線に接続部を設けて分割・再接続可能にしたので、ジェットバスポンプシステムのメンテナンス時、浴室壁の中継リード線接着固定部分を破壊することなくポンプを取り出すことが可能となり、また再設置時に浴室壁を再度、接着固定する作業が不要となる。
【発明を実施するための最良の形態】
【０００７】
請求項１に記載の発明は、浴槽水を循環させるポンプとこのポンプの動作を制御する制御部とを備え、ポンプと制御部が浴室内外に隔離され設置され、ポンプと制御部を中継リード線にて接続したジェットバスポンプシステムであって、中継リード線がポンプと浴室壁との間で分割・接続できるようにしたものであり、メンテナンス時に浴室壁の接着固定部を破壊することなくポンプを取り出すことが可能となり、また再設置時に浴室壁を再度、接着固定する作業が不要となる。
【０００８】
請求項２に記載の発明は、前記中継リード線の接続部分が防水コネクタである請求項１
記載のジェットバスポンプシステムとしたものであり、中継リード線の接続部に防水性能を確保できる。
【０００９】
図１は本発明の一実施の形態におけるジェットバスポンプシステムの構成図、図２は本発明の一実施の形態におけるジェットバスポンプシステムの中継リード線の分割部分と接着固定部分の拡大図である。
【００１０】
図１において、５は浴室１内の浴槽２の下に設置されて気泡を発生させ、浴槽水を吸込配管３と吐出配管４を介して循環させるポンプである。６は浴室外に設置され、ポンプ５の動作を制御する制御部である。ポンプ５に制御部６から電源電圧を供給するために、ポンプ５と制御部６とを接続するための中継リード線７が配設されている。ポンプ５と制御部６は浴室内外に隔離されている。ポンプ５は浴槽２と吸込配管３と吐出配管４で接続されており、浴槽水は吸込配管３からポンプ５に流入し、ポンプ５内で加圧され、吐出配管４を通り、浴槽２に流出する。
【００１１】
ポンプ５は流体を吸込み、ポンプ５内で加圧して吐き出すという、遠心型ポンプや過流ポンプなどであり、回転数は１０００ｒｐｍ〜５０００ｒｐｍ、流量は１０Ｌ／ｍｉｎ〜６０Ｌ／ｍｉｎ程度である。材質は変性ＰＰＥやＰＰＳなどの樹脂材料と鉄、アルミニウムなどの金属材料、銅線やプラスチックマグネットなど様々な材質を複合させて構成されている。浴槽２はＦＲＰ、人工大理石、ステンレスなどの加工性、耐候性に優れた材質で構成されている。吸込配管３と吐出配管４は銅、ＰＰＥ、ＥＰＤＭ、ポリブデンなどの加工性に優れた材質で構成されている。
【００１２】
中継リード線７は浴室外を通り、浴室壁８に穴をあけて貫通して接着固定部９で完全に固定され、浴室内と浴室外を完全に遮断することで、浴室１内の湿気が浴室壁８の内部に侵入し、浴室壁８や建物そのものが劣化することを防いでいる。また、ポンプ５から接着固定部９までのあいだの中継リード線７上に分割部分１０を設け、容易に分割・接続が可能な構成となっている。
【００１３】
図２において、分割部分１０は容易且つ確実に着脱可能なコネクタ１０ａ、１０ｂなどから成っており、だれでも容易に分割・再接続の作業ができる。また、中継リード線７を浴室壁８に穴をあけて貫通させている箇所の接着固定部９は、接着剤１１で覆うことにより、中継リード線７と浴室壁８の隙間を完全に遮断している。接着剤１１は、エポキシなどの樹脂が望ましい。
【００１４】
ポンプ５に何らかの不具合が生じ、修理や交換の必要が生じたときは、ポンプ５を浴槽２の下から取り出す必要がある。この場合、分割部分１０のコネクタ部分で中継リード線７を分割することにより、ポンプ５を取り出すことができ、再設置時も、分割部分１０のコネクタ１０ａ，１０ｂでポンプ５と中継リード線７を簡単に再接続することができる。このように、浴槽壁８と接着固定部９の周辺を破壊せずにポンプ５を取り出すことができ、また再設置時に再度、中継リード線７と接着固定部９を接着剤にて固定するという作業が必要なくなるため、作業性が非常に向上する。
【００１５】
また、コネクタ１０ａ，１０ｂとして防水コネクタを用いることにより、浴室１内の湿気が中継リード線７の分割部分１０に侵入し、ポンプ５と制御部６がショートするなどの不具合の発生を防ぐことができる。
【産業上の利用可能性】
【００１６】
本発明は、ポンプと制御部間の中継リード線を容易に分割・接続可能にしたことにより、施工性・メンテナンス性にすぐれたジェットバスポンプシステムとして有用である。
【図面の簡単な説明】
【００１７】
【図１】本発明の一実施の形態におけるジェットバスポンプシステムの構成図
【図２】本発明の一実施の形態におけるジェットバスポンプシステムの中継リード線の分割部分と接着固定部分の拡大図
【符号の説明】
【００１８】
１    浴室
２    浴槽
３    吸込配管
４    吐出配管
５    ポンプ
６    制御部
７    中継リード線
８    浴室壁
９    接着固定部
１０    分割部分
１０ａ    コネクタ
１０ｂ    コネクタ
１１    接着剤
【図１】
2006034553.tif 000003
【図２】
2006034553.tif 000004